(57)【要約】【課題】睫毛が固視標の提示や特性取得を阻害するのを抑制可能な眼科装置を提供すること。【解決手段】被検者の頭部ＨＢを支持台１で支持し測定用固視標を固視させた状態で、アライメント検出手段の検出に基づいてアライメント調整し、特性取得手段により被検眼の特性を取得する眼科装置であって、支持台１に頭部ＨＢを支持された被検者が視線ａを顔の正面方向よりも下向きにしたときに光軸Ｏ１が視線ａに一致可能なように、装置本体４が顔の正面方向を向いた視線ａに対して光軸Ｏ１を下方から上向きに傾斜させて配置され、装置本体４の外部であって光軸Ｏ１の外周位置に、点灯して支持台１に頭部ＨＢを支持された被検者の視線ａを顔の正面方向から下方に旋回誘導させるための誘導用固視標を提示する誘導用固視標提灯８２が設けられていることを特徴とする眼科装置とした。【選択図】図１
2011251061.tif 000002
【特許請求の範囲】
【請求項１】
被検者の頭部を支持する支持台と、
この支持台に対して、相対移動手段により相対移動可能に設けられた装置本体と、
この装置本体に搭載され、前記被検者に固視させる測定用固視標を前記装置本体から光軸に沿って前記被検眼に向けて提示する測定用固視標提示手段と、
前記装置本体に搭載され、前記測定用固視標の提示状態の前記被検眼に対して、前記装置本体の相対位置を検出するアライメント検出手段、および、前記被検眼の特性を取得可能な特性取得手段と、
を備え、前記被検者の頭部を前記支持台で支持し前記測定用固視標を提示してこの測定用固視標を固視させた状態で、前記アライメント検出手段の検出に基づいてアライメント調整し、前記特性取得手段により前記被検眼の特性を取得する眼科装置であって、
前記支持台に頭部を支持された前記被検者が視線を顔の正面方向よりも下向きにしたときに前記光軸が前記視線に一致可能なように、前記装置本体が前記顔の正面方向を向いた視線に対して前記光軸を下方から上向きに傾斜させて配置され、
前記装置本体の外部であって前記光軸の外周位置に、点灯して前記支持台に頭部を支持された前記被検者の視線を前記顔の正面方向から下方に旋回誘導させるための誘導用固視標を提示する誘導用固視標提示手段が設けられていることを特徴とする眼科装置。
【請求項２】
前記相対移動手段は、前記装置本体を前記光軸に沿う方向および前記光軸に直交する方向に移動させる駆動手段を備え、
この駆動手段、前記誘導用固視標提示手段、前記アライメント検出手段の動作を制御する制御手段を備え、
この制御手段は、前記誘導用固視標の提示状態で、前記アライメント検出手段の検出に基づいて前記駆動手段を駆動させて、前記誘導用固視標を固視状態の前記被検眼に対してあらかじめ設定された粗アライメント範囲内に前記装置本体を配置させる粗アライメント調整と、前記粗アライメント調整後、前記誘導用固視標を非提示状態とする一方で測定用固視標を提示状態とし、前記測定用固視標を固視状態の前記被検眼に対して前記粗アライメント範囲内よりも狭い範囲であらかじめ設定された詳細アライメント範囲内に前記装置本体を配置させる詳細アライメント調整と、前記詳細アライメント調整後、前記特性取得手段により前記被検眼の特性取得を行う特性取得処理とを実行することを特徴とする請求項１に記載の眼科装置。
【請求項３】
前記誘導用固視標手段は、前記光軸の外周に沿って周状に配置されていることを特徴とする請求項１または請求項２に記載の眼科装置。
【請求項４】
前記特性取得手段は、気流吹付ノズルから前記被検眼に向けて気流を吹き付け、このときの角膜の変形に基づいて前記被検眼の眼圧を測定する手段であり、
前記光軸は、前記気流吹付ノズルの内部を通るように配置され、
前記誘導用固視標提示手段は、前記気流吹付ノズルの外周に設けられていることを特徴とする請求項１〜３のいずれか１項に記載の眼科装置。
【請求項５】
前記特性取得手段は、前記光軸と同軸で前記被検眼の網膜に光標を映し、その結像の状態で前記被検眼の屈折力を測定する手段であることを特徴とする請求項１〜３のいずれか１項に記載の眼科装置。
【発明の詳細な説明】
【技術分野】
【０００１】
本発明は、被検眼の眼圧を測定する非接触式眼圧計や、被検眼の眼屈折力を測定するレフラクトメータや、被検眼の眼底を撮影する眼底カメラなどのように、固視標を提示して被検眼を固視標に固視させた状態で被検眼の特性を取得する眼科装置に関する。
【背景技術】
【０００２】
従来から、被検眼に向けて固視の目標となる固視標を提示して被検眼の特性を取得する眼科装置として、被検眼の角膜に向けて気流吹付ノズルから気流を吹き付けることにより角膜を変形（圧平）させ、このときの角膜からの反射光束を受光し、角膜変形の検出に基づいて眼圧を測定する非接触式眼圧計が知られている（例えば、特許文献１参照）。
【０００３】
この非接触式眼圧計は、気流吹付ノズルの他に、被検眼の前眼部像を観察する前眼部観察光学系、気流吹付ノズルの内部を通して被検眼に向け被検者の固視目標となる可視光を照射する固視光学系、被検眼に向けてアライメント光束を投影するアライメント投影光学系、被検眼の角膜により反射されたアライメント反射光束を受光するアライメント受光光学系、眼圧を測定するために被検眼の角膜変形を検出する検出光学系などを備えている。
そして、この非接触式眼圧計は、眼圧測定時には、気流吹付ノズルの内部から固視標を被検者に提示して固視させつつ、気流吹付ノズルから気流を噴射させ、角膜からの反射光束の変化を検出光学系により検出して、眼圧測定を行う。
【０００４】
また、同様に固視標を提示して被検眼の視線を所望の方向に向けて測定を行なう装置として、眼屈折力の測定を行なうレフラクトメータや、被検眼の眼底を撮影する眼底カメラなども知られている。
【先行技術文献】
【特許文献】
【０００５】
【特許文献１】特開平８−２８０６３１号公報
【発明の概要】
【発明が解決しようとする課題】
【０００６】
しかしながら、従来の眼科装置では、被検眼の睫毛が長かったり上瞼が下がったりして被検者の睫毛が角膜を覆う場合、この睫毛が固視標となる可視光を遮断し、適切な固視標の提示を行うことができないという問題があった。
また、被検眼の特性取得にあたっても、睫毛が角膜を覆う場合には、特性取得に悪影響を与えていた。例えば、非接触式眼圧計では、睫毛が、気流吹付ノズルから吹き付ける気流の流れを阻害し、適切な角膜の圧平が成されないことによる測定不良が生じるおそれがある。また、レフラクトメータでは、測定光や眼底からの反射光束が睫毛で妨げられて測定不良が生じるおそれがある。また、眼底カメラでは、睫毛が眼底撮影を阻害するおそれがある。
【０００７】
本発明は、上述のような従来の問題点に着目してなされたもので、睫毛が固視標の提示や特性取得を阻害するのを抑制可能な眼科装置を提供することを目的としている。
【課題を解決するための手段】
【０００８】
上記目的を達成するために本発明の眼科装置は、被検者の頭部を支持する支持台と、この支持台に対して、相対移動手段により相対移動可能に設けられた装置本体と、この装置本体に搭載され、前記被検者に固視させる測定用固視標を前記装置本体から光軸に沿って前記被検眼に向けて提示する測定用固視標提示手段と、前記装置本体に搭載され、前記測定用固視標の提示状態の前記被検眼に対して、前記装置本体の相対位置を検出するアライメント検出手段、および、前記被検眼の特性を取得可能な特性取得手段と、を備え、前記被検者の頭部を前記支持台で支持し前記測定用固視標を提示してこの測定用固視標を固視させた状態で、前記アライメント検出手段の検出に基づいてアライメント調整し、前記特性取得手段により前記被検眼の特性を取得する眼科装置であって、前記支持台に頭部を支持された前記被検者が視線を顔の正面方向よりも下向きにしたときに前記光軸が前記視線に一致可能なように、前記装置本体が前記顔の正面方向を向いた視線に対して前記光軸を下方から上向きに傾斜させて配置され、前記装置本体の外部であって前記光軸の外周位置に、点灯して前記支持台に頭部を支持された前記被検者の視線を前記顔の正面方向から下方に旋回誘導させるための誘導用固視標を提示する誘導用固視標提示手段が設けられていることを特徴とする。
【０００９】
また、請求項２に記載の発明は、請求項１に記載の眼科装置において、前記相対移動手段は、前記装置本体を前記光軸に沿う方向および前記光軸に直交する方向に移動させる駆動手段を備え、この駆動手段、前記誘導用固視標提示手段、前記アライメント検出手段の動作を制御する制御手段を備え、この制御手段は、前記誘導用固視標の提示状態で、前記アライメント検出手段の検出に基づいて前記駆動手段を駆動させて、前記誘導用固視標を固視状態の前記被検眼に対してあらかじめ設定された粗アライメント範囲内に前記装置本体を配置させる粗アライメント調整と、前記粗アライメント調整後、前記誘導用固視標を非提示状態とする一方で測定用固視標を提示状態とし、前記測定用固視標を固視状態の前記被検眼に対して前記粗アライメント範囲内よりも狭い範囲であらかじめ設定された詳細アライメント範囲内に前記装置本体を配置させる詳細アライメント調整と、前記詳細アライメント調整後、前記特性取得手段により前記被検眼の特性取得を行う特性取得処理とを実行することを特徴とする。
請求項３に記載の発明は、請求項１または請求項２に記載の眼科装置において、前記誘導用固視標手段は、前記光軸の外周に沿って周状に配置されていることを特徴とする。
請求項４に記載の発明は、請求項１〜３のいずれか１項に記載の眼科装置において、前記特性取得手段は、気流吹付ノズルから前記被検眼に向けて気流を吹き付け、このときの角膜の変形に基づいて前記被検眼の眼圧を測定する手段であり、前記光軸は、前記気流吹付ノズルの内部を通るように配置され、前記誘導用固視標提示手段は、前記気流吹付ノズルの外周に設けられていることを特徴とする。
請求項５に記載の発明は、請求項１〜３のいずれか１項に記載の眼科装置において、前記特性取得手段は、前記光軸と同軸で前記被検眼の網膜に光標を映し、その結像の状態で前記被検眼の屈折力を測定する手段であることを特徴とする。
【発明の効果】
【００１０】
本発明の眼科装置による測定手順を説明する。
まず、被検者の頭部を支持台により支持する。
次に、相対移動手段により装置本体を被検眼に対して移動させ、測定用固視標提示手段の光軸が、被検眼の正面方向よりも下方から上向きで被検眼に向かうように装置本体を配置する。
【００１１】
次に、誘導用固視標提示手段を点灯させ誘導用固視標を提示させる。誘導用固視標は、装置本体の外部であって測定用固視標を提示する光軸の外周に設けられているため、被検者の注意を喚起して被検者の視線を下方に旋回誘導できるとともに、測定用固視標の光軸の近傍に誘導することができる。
【００１２】
次に、測定用固視標を提示する。このとき、被験者は、既に誘導用固視標により測定用固視標の光軸の近傍に誘導されているため、視線を正面に向けている場合よりも測定用固視標を固視しやすい。さらに、被検者は視線を下向きに旋回させているため、視線を顔の正面方向に向けている場合と比較して、測定用固視標の光軸が上瞼および睫毛に遮られにくくなる。
そして、このように被検眼が測定用固視標を固視した状態で、アライメント検出手段によるアライメント調整および特性取得手段による被検眼の特性取得を行う。この場合も、視線を下向きとしていて、角膜が睫毛に覆われにくいため、角膜が睫毛に遮られている場合と比較して、アライメント調整および特性取得が確実となる。
【００１３】
以上のように、本発明では、被験者が視線を顔の正面方向よりも下向きにした状態で測定用固視標の提示を行なうとともに、被検眼の特性取得を行なうようにしたため、視線を顔の正面方向に向けた場合と比較して、被検者の睫毛で測定用固視標が遮られたり特性取得に悪影響を及ぼしたりすることが生じにくくなる。
しかも、測定用固視標の提示を被検眼に対し顔の正面方向よりも下方から行なうようにしたため、被験者が視線を顔の正面方向に向けた場合、測定用固視標に注意を喚起されにくくなるが、誘導用固視標を提示する誘導用固視標提示手段を装置本体の外部であって光軸の外周に設け、被検者の視線を下方に旋回誘導するようにしたため、被検者の注意を測定用固視標の光軸の近傍に誘導することができる。
【００１４】
請求項２に記載の発明では、測定時に、制御手段は、まず、粗アライメント調整を実行する。この粗アライメント調整では、誘導用固視標を提示状態として、被検者に誘導用固視標を固視させ、被検者の視線を下方に旋回誘導させる。そして、制御手段は、アライメント検出手段の検出に基づいて、粗アライメント範囲内に装置本体を配置させるよう駆動手段の駆動を制御する。
【００１５】
次に、粗アライメント調整が終了したら、詳細アライメント調整を実行する。
この詳細アライメント調整では、誘導用固視標の提示を終了する一方で測定用固視標を提示する。そして、制御手段は、アライメント検出手段の検出に基づいて、粗アライメント範囲よりも狭い範囲で設定された詳細アライメント範囲に装置本体を配置させるよう駆動手段の駆動を制御する。この場合、既に装置本体は粗アライメント範囲内に配置されているため、このアライメント調整を容易に行うことができる。
次に、詳細アライメント調整が終了したら、制御手段は、特性取得処理を実行し、特性取得手段により被検眼の特性取得を行う。
【００１６】
このように、請求項２に記載の発明では、被検者の頭部を支持台で支持した後は、制御手段の制御に基づいて、装置本体のアライメント調整および特性取得手段による被検眼の特性取得が自動的に可能である。また、光軸からずれた位置に配置された誘導用固視標の提示状態で詳細アライメント範囲よりも広い粗アライメント範囲に装置本体の位置をアライメント調整した後に、測定用固視標の提示による詳細アライメント調整を行うようにしたため、詳細アライメント調整を円滑に行うことができる。
【００１７】
請求項３に記載の発明では、誘導用固視標を光軸の外周に沿って周状に配置したため、被検者が誘導用固視標のどこを固視しても光軸から略一定の位置に視線を配置させることができる。
【００１８】
請求項４に記載の発明では、特性取得手段による特性取得時には、気流吹付ノズルから被検眼に向けて気流を吹き付け、このときの角膜の変形に基づいて被検眼の眼圧を測定する。この眼圧の測定時に、被検眼は、下を向いているため、気流吹付ノズルからの気流が角膜に吹き付けるのを睫毛や上瞼で妨げられにくくなる。
【００１９】
請求項５に記載の発明では、特性取得手段による特性取得時には、被検眼の網膜に光標を写し、その結像状態で被検眼の屈折力を測定するが、このとき、光標が睫毛に遮られにくく、屈折力の測定を確実に行うことができる。
【図面の簡単な説明】
【００２０】
【図１】図１は実施の形態１の非接触式眼圧計を示す側面図である。
【図２】図２はアライメント駆動機構１００を示す側面図である。
【図３】図３はコントロールユニット２００を示すブロック図である。
【図４】図４は実施の形態１の非接触式眼圧計の光学系の要部構成を示す側面図である。
【図５】図５は実施の形態１の非接触式眼圧計の光学系の要部構成を示す平面図である。
【図６】図６は実施の形態１の非接触式眼圧計による眼圧測定時の処理の流れを説明するフローチャートである。
【図７】図７はＣＣＤカメラ１９の前眼部像Ｅ０における、白目像Ｅ０１、虹彩像Ｅ０２、瞳孔像Ｅ０３と輝度との関係を示す図である。
【図８】図８は実施の形態１の非接触式眼圧計により眼圧測定を行った場合の動作の説明図である。
【図９】図９は実施の形態２の眼科装置の光学系の要部構成を示す平面図である。
【図１０】図１０は実施の形態２で用いた視標板３０３におけるチャートを示す正面図である。
【図１１】図１１は実施の形態２の眼科装置における角膜形状測定用リング板２６０を示す正面である。
【発明を実施するための形態】
【００２１】
以下、本発明を実施するための形態について、添付図面を参照しながら実施例を挙げて説明する。
【００２２】
（実施の形態１）
図１は眼科装置としての非接触式眼圧計を示す側面図である。
非接触式眼圧計は、装置ベース２と、架台３と、装置本体４とを備えている。
装置ベース２は、被検者の頭部ＨＢを支持する支持台１を有する。この支持台１は、被検者の顎を下方から支持する顎受１ａと、被検者の額を正面から押し当てる額当１ｂとを備えている。測定時に、被検者は、顎を顎受１ａに載せるとともに、額を額当１ｂに当接させて頭部ＨＢの２点の位置を規制することで、頭部ＨＢを装置ベース２に対して固定する。また、支持台１は、このように頭部ＨＢを支持台１に支持された状態で視線ａを正面に向けたときに、視線ａが略水平方向を向くように顎受１ａおよび額当１ｂが配置されている。
【００２３】
架台３は、装置ベース２に対し、支持台１の方向に１５〜３０度程度（本実施の形態１では、２０度とする）上向きに傾斜して設けられている。さらに、架台３は、装置ベース２に対して、傾斜に沿った斜め前後方向（矢印Ｚに沿う方向であって、以下にＺ方向と称する）および左右方向（図面の紙面に直交する方向であって、Ｚ方向に直交する方向であり、以下にＸ方向と称する）に移動可能に支持されている。
【００２４】
装置本体４は、架台３に設けられ、内部に設けられたアライメントを行うためのアライメント駆動機構（駆動手段）１００（図２参照）により、架台３に対してＺ方向、Ｘ方向およびＺ，Ｘ方向に直交する斜め上下方向である矢印Ｙ方向（以下、Ｙ方向と称する）に移動される。
【００２５】
ここで、アライメント駆動機構１００について簡単に説明すると、このアライメント駆動機構１００は、図２に示すように、上下アライメント駆動機構１１０と、左右アライメント駆動機構１２０と、前後アライメント駆動機構１３０とを備えている。
【００２６】
上下アライメント駆動機構１１０は、架台３に設けられ、回転軸を架台３に直交して設けられたＹアライメントモータ１１１と、架台３に対してＹアライメントモータ１１１の回転軸と平行な方向（矢印Ｙ方向）に移動可能に保持された支柱１１２と、この支柱１１２の上端に固定されたＹテーブル１１３とを備えている。また、Ｙアライメントモータ１１１と支柱１１２とは、図示しないピニオンおよびラックにより結合されており、Ｙアライメントモータ１１１の駆動により支柱１１２およびＹテーブル１１３が矢印Ｙ方向（上下方向）に移動する。
【００２７】
左右アライメント駆動機構１２０は、回転軸をＹテーブル１１３の直交方向であるＸ方向に向けてＹテーブル１１３に設けられたＸアライメントモータ１２１と、Ｘアライメントモータ１２１の回転軸と平行にＹテーブル１１３に固定された支柱１２２に対してＸ方向に移動可能に支持されたＸテーブル１２３と、このＸテーブル１２３の一端に設けられたラック１２４と、Ｘアライメントモータ１２１の出力軸に設けられてラック１２４に噛み合うピニオン１２５とを備えている。したがって、Ｘアライメントモータ１２１の駆動によりＸテーブル１２３がＸ方向（左右方向）に移動する。
【００２８】
前後アライメント駆動機構１３０は、回転軸をＸテーブル１２３の直交方向であるＹ方向に向けてＸテーブル１２３の上部に設けられたＺアライメントモータ１３１と、このＺアライメントモータ１３１の回転軸と平行にＸテーブル１２３の上部に設けられた支柱１３２と、この支柱１３２に対して軸直交方向であるＺ方向に移動可能に支持され、装置本体４の基体となるケース１３３と、ケース１３３の側部に設けられたラック１３４と、Ｚアライメントモータ１３１の出力軸に設けられラック１３４に噛み合わされたピニオン１３５とを備えている。したがって、Ｚアライメントモータ１３１の駆動によりケース１３３がＺ方向（前後方向）に移動する。
【００２９】
図１に戻り、架台３において、装置本体４を挟んで支持台１との反対側には、操作ノブ５、前眼部観察用のモニタ６および操作スイッチ類２１０（図３参照）が設けられている。
操作ノブ５には、操作ノブ５の軸心周りの回転操作を検出する回転検出スイッチ２１１や操作ノブ５の傾倒操作を検出する傾倒検出スイッチ２１２（図３参照）が設けられており、回転検出スイッチ２１１が検出する回転量に応じた制御回路２０１（図３参照）からの出力によりＹアライメントモータ１１１が駆動され、傾倒検出スイッチ２１２（図３参照）が検出する操作ノブ５の傾倒方向に応じた制御回路２０１（図３参照）からの出力によりＸアライメントモータ１２１およびＺアライメントモータ１３１が駆動される。
【００３０】
装置本体４の前面に、気流吹付ノズル８が光軸Ｏ１と同軸の中心軸をＺ方向に沿わせて設けられている。この気流吹付ノズル８は、図４に示すように、前眼部窓ガラス１２およびチャンバー窓ガラス１３を通して設けられたノズル本体８０と、このノズル本体８０および前眼部窓ガラス１２を覆うカバー８１とを備えている。
また、気流吹付ノズル８は、ピストン８ａが設けられたシリンダ８ｂに接続され、ピストン８ａが、ピストンソレノイド８ｃに駆動されることによってノズル本体８０から角膜Ｃに空気を吹き付けるようになっている。
【００３１】
装置本体４のケース１３３（図２参照）の内部には、図４および図５に示す、前眼部観察光学系１０と、ＸＹアライメント指標投影光学系（アライメント検出手段）２０と、固視標投影光学系（測定用固視標提示手段）３０と、ＸＹアライメント検出光学系（アライメント検出手段）４０と、角膜変形量検出光学系（特性取得手段）５０と、Ｚアライメント指標投影光学系（アライメント検出手段）６０と、Ｚアライメント検出光学系（アライメント検出手段）７０とが設けられている。
【００３２】
前眼部観察光学系１０は、被検眼Ｅの前眼部を観察するための光学系である。
この前眼部観察光学系１０は、被検眼Ｅの左右に位置して前眼部を直接照明する前眼部照明光源１１ａ，１１ｂ（図５参照）と、前眼部窓ガラス１２と、チャンバー窓ガラス１３，１４と、ハーフミラー１５と、対物レンズ１６と、ハーフミラー１７，１８と、ＣＣＤカメラ１９などからなり、これらは気流吹付ノズル８のノズル本体８０の内部を通る光軸Ｏ１上に配置されている。
【００３３】
被検眼Ｅの前眼部像は、前眼部窓ガラス１２、チャンバー窓ガラス１３，１４、ハーフミラー１５を透過し、対物レンズ１６により集束されつつハーフミラー１７，１８を透過してＣＣＤカメラ１９上に形成される。
【００３４】
ＸＹアライメント指標投影光学系２０は、ＸＹ方向（左右上下方向）のアライメント検出および角膜変形量検出のための指標光（ＸＹアライメント指標光）を被検眼Ｅの角膜Ｃに正面から投影する光学系である。
【００３５】
このＸＹアライメント指標投影光学系２０は、ＸＹアライメント検出と圧平検出を兼ねる赤外光を出射するＸＹアライメント用光源２１と、集光レンズ２２と、開口絞り２３と、ピンホール板２４と、ダイクロイックミラー２５と、投影レンズ２６と、ハーフミラー１５などから成る。なお、投影レンズ２６は、ピンホール板２４に焦点が一致するように光路上に配置されている。
【００３６】
固視標投影光学系３０は、気流吹付ノズル８の内部を通して、光軸Ｏ１と同軸で被検眼Ｅに測定用固視標を提示する光学系である。
この固視標投影光学系３０は、可視光を出射する固視標用光源３１と、ピンホール板３２と、ダイクロイックミラー２５と、投影レンズ２６と、ハーフミラー１５などから成る。
【００３７】
固視標用光源３１から出射された固視標光は、ピンホール板３２、ダイクロイックミラー２５を経て、投影レンズ２６により平行光束となってハーフミラー１５で反射された後に、チャンバー窓ガラス１４を透過し、気流吹付ノズル８の内部を通過して被検眼Ｅに導かれる。そして、被検者がその測定用固視標を固視目標として注視することにより、眼圧測定時の被検者の視線（すなわち被検眼Ｅ）の固定、すなわち固視が成される。
【００３８】
ＸＹアライメント検出光学系４０は、ＸＹアライメント指標光の角膜Ｃによる反射光を受光して装置本体４と角膜ＣのＸＹ方向の位置関係を検出する光学系である。
このＸＹアライメント検出光学系４０は、チャンバー窓ガラス１４と、ハーフミラー１５と、対物レンズ１６と、ハーフミラー１７，１８と、ＸＹアライメント輝点位置センサ４１などから成る。ＸＹアライメント輝点位置センサ４１としては、ＰＳＤ（Position Sensitive Detector：半導体位置検出素子）センサのようなスポット状の輝点位置が検出可能な受光センサが用いられている。
【００３９】
角膜変形量検出光学系５０は、ＸＹアライメント指標光の角膜Ｃによる反射光を受光して角膜Ｃの圧平変形量を検出する光学系である。
この角膜変形量検出光学系５０には、前記ＸＹアライメント検出光学系４０のハーフミラー１７によって反射された一部の光束が導かれ、ピンホール板５１を通過して圧平検出受光センサ５２に導かれる。この圧平検出受光センサ５２としては、フォトダイオードのような光量検出可能な受光センサが用いられている。
【００４０】
Ｚアライメント指標投影光学系６０は、Ｚ方向のアライメント検出のための指標光を角膜Ｃに斜め方向から投影する光学系である。
このＺアライメント指標投影光学系６０は、赤外光を出射するＺアライメント用光源６１と、集光レンズ６２と、開口絞り６３と、ピンホール板６４と、投影レンズ６５などから成る。これらは光軸Ｏ２上に配置されている。投影レンズ６５は、ピンホール板６４に焦点が一致するように光路上に配置されている。
【００４１】
Ｚアライメント検出光学系７０は、Ｚアライメント指標光の角膜Ｃによる反射光を前眼部観察光学系１０の光軸Ｏ１に関し対称な方向から受光して装置本体４と角膜ＣのＺ方向の位置関係を検出する光学系である。
このＺアライメント検出光学系７０は、結像レンズ７１と、Ｙ方向にパワーを持つシリンドリカルレンズ７２と、Ｚアライメント輝点位置センサ７３などから成る。これらは光軸Ｏ３上に配置されている。Ｚアライメント輝点位置センサ７３としては、ラインセンサやＰＳＤセンサのような輝点位置検出が可能な受光センサが用いられている。
【００４２】
気流吹付ノズル８のカバー８１の先端部の外周縁には、誘導用固視灯（誘導用固視標提示手段）８２が設けられている。
この誘導用固視灯８２は、通電時に光軸Ｏ１の外周でリング状に点灯して被験者の視線を顔の正面方向（略水平方向）から下方に旋回誘導するもので、ＬＥＤ（図示省略）をカバー８１の先端部に光軸Ｏ１を中心として周状に複数配置し、これを半透明のカバーで覆ってリング状に点灯するように形成されている。
【００４３】
次に、図３に基づきコントロールユニット２００の構成について説明する。
コントロールユニット２００は、制御回路２０１と、Ｙアライメントモータ１１１を駆動するドライバ２２１と、Ｘアライメントモータ１２１を駆動するドライバ２２２と、Ｚアライメントモータ１３１を駆動するドライバ２２３とを備えている。
【００４４】
制御回路２０１への入力系としては、メインスイッチ２０２と、ＣＣＤカメラ１９と、操作スイッチ類２１０と、ＸＹアライメント輝点位置センサ４１と、圧平検出受光センサ５２と、Ｚアライメント輝点位置センサ７３と、チャンバー内圧センサ８４となどを備えている。
【００４５】
メインスイッチ２０２は、非接触式眼圧計により検査を行う際、イニシャライズ処理などを行うためにＯＮ操作される検査開始スイッチである。
【００４６】
チャンバー内圧センサ８４は、気流吹付ノズル８へ通じるチャンバー内の気圧変化を検出するセンサである。このチャンバー内圧情報は、眼圧測定情報として用いられる。
【００４７】
ドライバ２２１，２２２，２２３からの出力系としては、Ｘアライメントモータ１２１と、Ｙアライメントモータ１１１と、Ｚアライメントモータ１３１とが設けられている。また、制御回路２０１からの出力系としては、ピストンソレノイド８ｃと、モニタ６と、発光制御回路８６とが設けられている。さらに、発光制御回路８６からの出力系としては、前眼部照明光源１１ａ，１１ｂと、ＸＹアライメント用光源２１と、固視標用光源３１と、Ｚアライメント用光源６１と、誘導用固視灯８２とが設けられている。
【００４８】
次に、図６の測定処理の流れを示すフローチャートに基づいて、実施の形態１の非接触式眼圧計による眼圧測定時の処理を説明する。
【００４９】
まず、眼圧測定に先立ち、検者は、被験者に対し、顎を顎受１ａに載せるとともに、額を額当１ｂに当接させる被検姿勢をとるように指示し、被験者がこの被検姿勢をとって頭部ＨＢを装置ベース２に対して固定した時点で、メインスイッチ２０２の投入を行い、これにより、コントロールユニット２００において、測定処理が開始される。
【００５０】
この測定処理において、まず、ステップＳ１では、誘導用固視灯８２を点灯させた後、ステップＳ２に進む。
ステップＳ２では、粗アライメント調整を実行し、さらに、次のステップＳ３において、粗アライメント条件が成立したか否か判定し、粗アライメント条件が成立した場合は、ステップＳ４に進み、非成立の場合は、ステップＳ２に戻って粗アライメントを続ける。
【００５１】
ここで、粗アライメント調整は、被検眼Ｅに対する装置本体４のＸＹ方向の相対位置を大まかに調整する処理であって、本実施の形態１では、ＣＣＤカメラ１９の画像において、その輝度に基づいて白目、虹彩、瞳孔を判定し、瞳孔とＣＣＤカメラ１９（装置本体４）との相対位置を調整する。
すなわち、図７は、ＣＣＤカメラ１９の前眼部像Ｅ０における、白目像Ｅ０１、虹彩像Ｅ０２、瞳孔像Ｅ０３と輝度との関係を示しており、図示のように、白目像Ｅ０１、虹彩像Ｅ０２、瞳孔像Ｅ０３は、それぞれ輝度が相互に大幅に異なっている。したがって、制御回路２０１では、ＣＣＤカメラ１９の前眼部像Ｅ０における輝度に基づいて、白目、虹彩、瞳孔の判定を行なう。
【００５２】
そして、粗アライメント条件成立の判定は、装置本外４が、被検眼Ｅに対してＸＹ方向であらかじめ設定された粗アライメント範囲内に配置された場合に成されるもので、この粗アライメント範囲内とは、本実施の形態１では、光軸Ｏ１の位置に相当するＣＣＤカメラ１９の中央位置が、被検眼Ｅの瞳孔像Ｅ０３内に存在するように設定されており、具体的には、ＣＣＤカメラ１９の中央位置が瞳孔像Ｅ０３の中央からＸＹ方向に±４ｍｍの範囲内に存在するように設定されている。したがって、光軸Ｏ１の位置に相当するＣＣＤカメラ１９の中央位置が、被検眼Ｅの瞳孔像Ｅ０３から±４ｍｍの範囲内に入れば粗アライメント条件成立と判定される。
【００５３】
粗アライメント成立時に進むステップＳ４では、誘導用固視灯８２を消灯させ、かつ、固視標投影光学系３０の固視標用光源３１を点灯させる処理を行った後、ステップＳ５に進む。
ステップＳ５では、詳細アライメント調整を実行し、ステップＳ６に進む。
ステップＳ６では、詳細アライメント条件成立か否かを判定し、詳細アライメント条件成立で、ステップＳ７に進み、成立しない場合はステップＳ５に戻って詳細アライメント調整を続ける。
【００５４】
詳細アライメントは、ＸＹ方向について、粗アライメントよりもＣＣＤカメラ１９の中央位置（光軸Ｏ１の位置）と瞳孔像Ｅ０３の中央位置とを近付けるよう装置本体４の位置を調整するもので、光軸Ｏ１が瞳孔像Ｅ０３の中央位置の±０．２ｍｍの範囲である詳細アライメント範囲内に配置するように調整する。したがって、光軸Ｏ１の位置がこの詳細アライメント範囲内に配置された時点で、詳細アライメント条件成立と判定される。
【００５５】
なお、この詳細アライメント調整は、本実施の形態１では、ＸＹ方向の位置調整については、ＸＹアライメント指標投影光学系２０およびＸＹアライメント検出光学系４０を用いて行い、さらに、Ｚアライメント指標投影光学系６０およびＺアライメント検出光学系７０により、Ｚ方向の位置調整を行う。
【００５６】
ステップＳ７では、眼圧測定を実行する。
この眼圧測定は、従来と同様であり、固視標投影光学系３０により気流吹付ノズル８の内部を通して、光軸Ｏ１と同軸で被検眼Ｅに測定用固視標を提示し、被検眼Ｅが測定用固視標を固視した状態として、気流吹付ノズル８から被検眼の角膜に向けてエアを吹き付け、光電的に角膜Ｃの圧平または変形状態を検出し、それらの圧力、時間変化および角膜の圧平（変形）状態を換算（演算）することで、被検眼Ｅの眼圧を測定する。
【００５７】
（実施の形態１の作用）
前述したように、眼圧測定時には、被験者は、顎を顎受１ａに載せるとともに、額を額当１ｂに当接させた被検姿勢をとり頭部ＨＢを装置ベース２および支持台１に対して固定する。
【００５８】
このとき、装置本体４は、図１に示すように、光軸Ｏ１および気流吹付ノズル８が被検眼Ｅに対して下方から上向きとなるように配置して、以下に説明する手順で眼圧測定を開始する。
なお、この眼圧測定の手順を説明するのにあたり、図８に示すように、被検者の睫毛ＥＬが、視線ａを正面方向に向けた被検眼Ｅの角膜Ｃを覆う場合について説明する。
【００５９】
被検者は、顔を水平方向に向けて支持台１に支持されているため、図８（ａ）に示すように、視線ａを水平方向に向けがちであり、斜め下方の気流吹付ノズル８の方向に向けにくい傾向にある。
そこで、実施の形態１の非接触式眼圧計では、測定時には、まず、誘導用固視灯８２を点灯させる（ステップＳ１）。また、このとき、検者は、被検者に誘導用固視灯８２を見るように案内する。
したがって、被験者の視線ａは、水平方向から下方に旋回して誘導用固視灯８２へ導かれ斜め下方に向けられる。
【００６０】
この状態で、粗アライメント調整が実行され（ステップＳ２）、気流吹付ノズル８の内部を通る光軸Ｏ１が、被検眼Ｅの瞳孔の中央からＸＹ方向で±４ｍｍの範囲内に配置されて粗アライメント条件が成立したら（ステップＳ３）、誘導用固視灯８２を消灯し固視標用光源３１を点灯させる（ステップＳ４）。
すなわち、誘導用固視灯８２は、リング状に点灯するため、被検者は、リング状のいずれかの点を固視することになる。そこで、粗アライメント範囲（±４ｍｍの範囲）は、視線ａが誘導用固視灯８２のリング状のいずれの位置に配置されていても、粗アライメント条件が成立するように設定されている。
【００６１】
そして、粗アライメント条件の成立により、被検眼Ｅが、誘導用固視灯８２を固視していることが確認されたら、誘導用固視灯８２を消灯させるとともに、図８（ｃ）に示すように、固視標用光源３１を点灯させる。
したがって、測定用固視標としての固視標用光源３１からのスポット光が気流吹付ノズル８のノズル本体８０の内部を通って被検眼Ｅに向けて提示され、被験者は、この測定用固視標を固視することで、角膜Ｃの頂点Ｐが光軸Ｏ１の近傍に配置される。
なお、このとき、被検眼Ｅは、その直前まで誘導用固視灯８２を固視していたため、視線ａを水平方向に向けていた場合と比較して、測定用固視標の固視が容易である。
【００６２】
さらに、固視標用光源３１を点灯させた後、詳細アライメント調整を実行する（ステップＳ５）。この詳細アライメント調整では、ＸＹ方向には、光軸Ｏ１が瞳孔の中央から±０．２ｍｍの範囲（詳細アライメント範囲）に配置させ、また、Ｚ方向についても角膜Ｃの頂点Ｐに対してあらかじめ設定された距離となるように配置させる（図８（ｄ）参照）。
【００６３】
そして、詳細アライメント条件が成立した時点で詳細アライメントを終了し（ステップＳ６）、眼圧測定を実行する（ステップＳ７）。
このとき、被検眼Ｅは、その視線ａが下向きに設定されるため、視線ａが水平を向いた場合と比較して、角膜Ｃの頂点Ｐが睫毛ＥＬに覆われにくくなり、その分、測定用固視標の提示や気流吹付ノズル８からの気流の吹き付けが睫毛ＥＬで妨げられにくくなる。
したがって、測定用固視標の提示が妨げられることにより被検者の視線ａが光軸Ｏ１の方向を向かずに、眼圧側定が実行されなかったり、気流吹付ノズル８からの気流の吹き付けが妨げられて適切な圧平が得られないことによる測定不良が発生したりすることが抑制され、適切な眼圧側定が実行される。
【００６４】
（実施の形態１の効果）
ａ）眼圧側定時に、被験者は、被検眼Ｅを下向きにして測定するようにしたため、睫毛ＥＬにより測定用固視標の提示や気流の吹き付けが妨げられることが生じにくくなり、従来と比較して、短時間で正確な測定が可能となる。
【００６５】
ｂ）装置本体４は、顔の正面方向に視線ａを向けた被検眼Ｅに対して、測定用固視標を提示する光軸Ｏ１の向きおよび気流吹付ノズル８からの気流の吹付方向が下方から上向きとなるように配置した。このため、被験者が支持台１に頭部ＨＢを固定して視線ａを顔の正面方向である水平方向に向けていると、気流吹付ノズル８の内部を通るスポット光で測定用固視標を提示した際に、この測定用固視標に気付きにくい。
それに対し、本実施の形態１では、測定用固視標の提示の前に、気流吹付ノズル８の先端外周に設置した誘導用固視灯８２を点灯させるため、被検者の視線ａを気流吹付ノズル８の方向である下方へ旋回誘導し易く、測定用固視標を固視し易くなる。
【００６６】
ｃ）コントロールユニット２００により、眼圧測定時には、自動的に、誘導用固視灯８２を点灯させて粗アライメント調整を実行し、粗アライメント条件が成立した時点で、誘導用固視灯８２を消灯させて、測定用固視標を提示するようにした。
したがって、手動により誘導用固視灯８２の点灯・消灯および測定用固視標の提示をそれぞれ行なうものと比較して、操作が簡単である。加えて、誘導用固視灯８２により視線ａを下方に旋回誘導させた状態で粗アライメント条件が成立したときには、光軸Ｏ１が被検眼Ｅの瞳孔に配置されているため、その後の詳細アライメント調整を円滑に行うことができる。
【００６７】
ｄ）誘導用固視灯８２は、光軸Ｏ１の外周にリング状に設けた。このため、例えば、光点を１点として誘導するものと比較して、被検者の注意を喚起しやすく、視線ａを下方に誘導旋回させやすい。しかも、リング状としていることで、被検眼Ｅがリング状のいずれの位置を固視していても、光軸Ｏ１からの距離を一定の範囲内に配置でき、その後の詳細アライメント処理に有利である。
【００６８】
ｅ）粗アライメント範囲を、被検眼Ｅが、誘導用固視灯８２のリング状のいずれを固視していても粗アライメント条件が成立するように設定したため、粗アライメント調整を円滑に行うことができる。
【００６９】
（他の実施の形態）
以下に、他の実施の形態の眼科装置について説明する。
なお、他の実施の形態を説明するのにあたり、実施の形態１と同じ構成については同じ符号を付けて説明を省略する。作用についても、実施の形態１と相違する作用について説明し、実施の形態１と同じ作用については説明を省略する。
【００７０】
（実施の形態２）
実施の形態２の眼科装置は、装置本体４の内部に搭載された特性取得手段として、被検眼の角膜形状、屈折力、角膜厚さの測定を行なう手段を用いた例である。
【００７１】
すなわち、実施の形態２の眼科装置の装置本体４には、図９に示すように、被検眼Ｅを固視・雲霧させるための固視標（測定用固視標）を投影するための固視光学系３００、被検眼Ｅの前眼部観察を行なうための前眼部観察光学系４００、被検眼Ｅの眼屈折力を多角的に測定する際に使用するリング状視標を投影するためのリング状指標投影光学系５００、被検眼Ｅの眼底からのリング状指標反射光束を受光するための視標光束受光光学系６００、被検眼Ｅに対する装置本体（図示省略）の上下左右方向（ＸＹ方向）のアライメント調整に用いる指標を投影するためのＸＹアライメント視標投影光学系７００、被検眼Ｅの角膜厚さ測定と前後方向（Ｚ方向）のアライメント調整とに用いるスリット光を被検眼Ｅに向けて斜めから投影するためのスリット光投影光学系８００、スリット光の角膜Ｃでの反射光束を受光するためのスリット光束受光光学系９００、赤外ＬＥＤ群２５０および角膜形状測定用リング板２６０を備えている。
【００７２】
なお、図示を省略した装置本体４は、実施の形態１と同様に、視線ａを顔の正面方向である水平方向に向けた被検眼Ｅに対して光軸Ｏ１が下方から上向きで被検眼Ｅに向かうように傾斜して配置されている。
【００７３】
測定用固視標提示手段としての固視光学系３００では、ランプ３０１から発せられた光束が、コリメータレンズ３０２を通り、視標板３０３を照明する。照明された視標板３０３からの光束は反射ミラー３０４によって反射され、コリメータレンズ３０５を通って反射ミラー３０６によって反射され、移動レンズ３０７、リレーレンズ３０８を通った後に反射ミラー３０９によって反射され、ダイクロイックミラー３１０を通った後に、ダイクロイックミラー４１１で反射されて対物レンズ４１２によって被検眼Ｅに投影される。被検眼Ｅがこの視標板３０３の像を凝視することにより、被検者の視線ａが固定される。なお、視標板３０３は、本実施の形態２では、図１０に示す地平線３０３ａに向かって直線状に延びる道路３０３ｂが描かれた風景が用いられており、ランプ３０１から出射された光束により後方から照明される。また、ランプ３０１、コリメータレンズ３０２、視標板３０３は、網膜上に固視チャートの像を形成できるピントの合う位置およびピントが合わなくなる位置（雲霧）まで光軸方向に移動可能となっている。
【００７４】
前眼部観察光学系４００では、被検眼Ｅの前眼部照明を兼ねる赤外ＬＥＤ群２５０によって照明された角膜形状測定用リング板２６０からの光束が被検眼Ｅの角膜Ｃに投影されて角膜反射像（リング像）を形成する。角膜Ｃで反射されたリング像は、対物レンズ４１２、ダイクロイックミラー４１１、対物レンズ４１２の略焦点位置に配置された絞り４１５を通り、ダイクロイックミラー４１６、リレーレンズ４１７，４１８、ダイクロイックミラー４１９、ＴＶリレーレンズ４２０を通った後にＣＣＤカメラ４２１に投影され、モニタ４２１ａに表示される。
【００７５】
角膜形状測定用リング板２６０は、図１１に示すように、透光部２６１と遮光部２６２とが同心円状に所定の間隔で配置された、リング状の同心円パターンが拡散板の表面に印刷されたもので、リング状パターン中心部には穴２６３が形成されていて前眼部観察光学系４００の対物レンズ４１２が見えるようになっている。また穴２６３の左右には、スリット光投影光学系８００およびスリット光束受光光学系９００の光路を確保するための穴２６４がそれぞれ形成されている。
【００７６】
リング状指標投影光学系５００では、赤外ＬＥＤ５２２から発された光束は、コリメータレンズ５２３、円錐プリズム５２４を通ってリング状視標５２５を照明する。照明されたリング状視標５２５からの光束がリレーレンズ５２６、リング状絞り５２７を通った後に穴あきプリズム５２８によって反射され、ダイクロイックミラー３１０，４１１によって反射されて対物レンズ４１２により被検眼Ｅの眼底に投影され、リング状視標像を形成する。
【００７７】
視標光束受光光学系６００では、被検眼Ｅの眼底で反射されたリング状視標像が、対物レンズ４１２を通ってダイクロイックミラー４１１，３１０で反射され、穴あきプリズム５２８の穴を通って反射ミラー６２９で反射され、リレーレンズ６３０、移動レンズ６３１を通った後に反射ミラー６３２およびダイクロイックミラー４１９によって反射されてＴＶリレーレンズ４２０を通ってＣＣＤカメラ４２１に投影され、モニタ４２１ａに表示される。
【００７８】
ＸＹアライメント視標投影光学系７００では、赤外ＬＥＤ７３３から発せられた光束が絞り７３４を照明する。絞り７３４からの光束は、リレーレンズ７３５を通り、ダイクロイックミラー４１６で反射された後に絞り４１５、ダイクロイックミラー４１１、対物レンズ４１２を通って被検眼Ｅの角膜Ｃに投影され、ＸＹアライメント視標像を形成する。
角膜Ｃで反射されたＸＹアライメント視標像は、前眼部観察光学系４００を通って、ＣＣＤカメラ４２１に投影され、モニタ４２１ａに輝点像として表示される。
【００７９】
スリット光投影光学系８００では、赤外ＬＥＤ８３６から発せられた光束は、リレーレンズ８３７、スリット８３８を通って反射ミラー８３９で反射され、スリット８４０を通ってスリット光とされて投影レンズ８４１により被検眼Ｅの角膜Ｃに投影され、スリット像を形成する。
【００８０】
スリット光束受光光学系９００では、角膜Ｃで反射されたスリット像が、受光レンズ９４２を通り反射ミラー９４３で反射されてリレーレンズ９４４によってセンサ９４５に投影される。
【００８１】
前眼部観察光学系４００のＣＣＤカメラ４２１およびスリット光束受光光学系９００のセンサ９４５には、得られた測定データから角膜厚さデータ、角膜形状データ、眼屈折力データを解析し算出する公知の手段としての解析手段９５１と、角膜形状データから角膜屈折力を算出するための演算手段９５２とが接続されている。なお、この眼科装置における角膜形状、屈折力、角膜厚の測定の詳細については、例えば、特開２００２−２０００４５号公報に詳しいため説明を省略する。
【００８２】
さらに、本実施の形態２では、角膜形状測定用リング板２６０の最も内側の透光部２６１およびこの透光部２６１を照明する赤外ＬＥＤ群２５０のうち最も内周に位置するものを、誘導用固視標提示手段として用い、誘導用固視標の提示時には、赤外ＬＥＤ群２５０のうちで、最も内周に位置するものを点灯させ、光軸Ｏ１が通る穴２６３の外周で、最も内周の透光部２６１がリング状に点灯照明される。
したがって、実施の形態１と同様に、被験者は、このリング状の点灯により視線ａを正面に向けた状態から下向きに旋回誘導される。
【００８３】
また、実施の形態２にあっても、被検者の視線ａを下方へ旋回誘導させた後に、実施の形態１と同様に粗アライメントを実施し、その後、詳細アライメントとしてＸＹアライメント調整およびＺアライメント調整を実行する。
【００８４】
ＸＹアライメント調整では、赤外ＬＥＤ群２５０を点灯し、被検眼Ｅの前眼部を照明し、被検眼Ｅの前眼部像が前眼部観察光学系４００によってＣＣＤカメラ４２１に投影される。また、ＸＹアライメント視標投影光学系７００の赤外ＬＥＤ７３３を点灯させ、ＸＹアライメント視標光が角膜Ｃに投影され、角膜Ｃから反射されたＸＹアライメント視標像も前眼部観察光学系４００によってＣＣＤカメラ４２１に投影され、前眼部像とともに輝点像としてモニタ４２１ａに表示される。
検者は、このモニタ４２１ａ上に表示された前眼部像Ｅ０および輝点像を見ながら装置本体をＸＹ方向に移動させて、輝点像が瞳孔内に入るとＸＹアライメント調整は完了する。
【００８５】
Ｚアライメント調整では、スリット光投影光学系８００の赤外ＬＥＤ８３６を点灯し、赤外ＬＥＤ８３６からの光束が、スリット８３８を通ってスリット光束とされて被検眼Ｅの角膜Ｃに投影される。
角膜Ｃの内皮で反射されたスリット光内皮反射像は、スリット光束受光光学系９００のセンサ９４５に投影される。センサ９４５は受光位置検出が可能なラインセンサ等の受光センサである。この眼科装置は、被検眼が適正位置であるときのスリット光内皮反射像の受光位置を基準位置として記憶しており、この基準位置と被検眼Ｅからのスリット光内皮反射像のセンサ９４５への投影位置との比較を行う。検者が装置本体をＺ方向に移動させて、スリット光内皮反射像のセンサ９４５への投影位置が基準位置から所定範囲内に入るとＺアライメント調整は完了する。
【００８６】
以上説明した実施の形態２の眼科装置にあっても、角膜厚さデータ、角膜形状データ、眼屈折力データの解析時に、実施の形態１と同様に、被験者は、被検眼Ｅを下向きにして測定するようにしたため、固視標などの光束や、角膜Ｃでの反射光束が睫毛ＥＬにより妨げられにくく、従来と比較して、短時間で正確な測定が可能となる。
【００８７】
また、上記ｂ）と同様に、固視標の提示の前に、装置本体４の外部に取り付けた角膜形状測定用リング板２６０の最も内側の透光部２６１によりリング状に点灯照明させて誘導固視標の提示を行って、視線ａを正面に向けた状態から下向きに旋回誘導するため、斜め下方から提示する固視標を固視し易くなる。また、実施の形態１の上記ｄ）同様に、誘導用固視をリング状に点灯するため、その後のアライメント調整が容易である。
【００８８】
さらに、実施の形態２では、誘導用固視標として、ＸＹアライメント調整および前眼部照明用の赤外ＬＥＤ群２５０を利用したため、誘導固視専用のものを設けるものと比較して、コスト的に有利となる。
【００８９】
以上、本発明の実施の形態について図面を用いて説明したが、本発明はこうした実施の形態に限定されるものではなく、本発明の要旨を逸脱しない範囲内において種々の変形および置換を加えることができる。
【００９０】
例えば、実施の形態では、誘導時固視標と測定用固視標は順番に提示するようにしたが、同時に提示させてもよい。
【００９１】
また、実施の形態では、被検眼Ｅに対する光軸Ｏ１の傾きを２０°としたが、この角度は、２０°に限定されるものではない。
【００９２】
また、実施の形態では、支持台１は、頭部支持した際に、被検者の被検眼Ｅの視線ａが水平方向を向くようにしたが、これに限定されるものではなく、支持状態で顔の正面方向に向けた視線ａが上向きや下向きとなるようにしてもよい。特に、顔が上向きとなるように支持した構成では、視線ａに対して光軸が下方から上向きになるように装置本体４を設置した場合に装置本体４は装置ベース２に対しては略水平に設置することになり、装置ベース２および装置本体４としては、従来装置をそのまま用いることもできる。
【００９３】
また、実施の形態では、眼科装置として、非接触式眼圧計や、被検眼の眼屈折力を測定する眼科装置を示したが、固視標を提示して被検眼を固視標に固視させた状態で被検眼の特性を取得するものであれば、眼底カメラなどの他の装置に適用することもできる。
【符号の説明】
【００９４】
１     支持台
４     装置本体
３０   固視標投影光学系（固視標提示手段）
４０   ＸＹアライメント検出光学系（アライメント検出手段）
５０   角膜変形量検出光学系（特性取得手段）
６０   Ｚアライメント指標投影光学系（アライメント検出手段）
７０   Ｚアライメント検出光学系（アライメント検出手段）
８０   ノズル本体
８２   誘導用固視灯（誘導用固視標提示手段）
１００ アライメント駆動機構（駆動手段）
２００ コントロールユニット（制御手段）
２５０ 赤外ＬＥＤ群（誘導用固視標提示手段）
２６０ 角膜形状測定用リング板（誘導用固視標提示手段）
３００ 固視光学系（固視標提示手段）
４００ 前眼部観察光学系（特性取得手段）
７００ ＸＹアライメント視標投影光学系（アライメント検出手段）
９５１ 解析手段（特性取得手段）
９５２ 演算手段（特性取得手段）
ａ     視線
Ｃ     角膜
Ｅ     被検眼
ＥＬ   睫毛
ＨＢ   頭部
Ｏ１   光軸
【図１】
2011251061.tif 000003
【図２】
2011251061.tif 000004
【図３】
2011251061.tif 000005
【図４】
2011251061.tif 000006
【図５】
2011251061.tif 000007
【図６】
2011251061.tif 000008
【図７】
2011251061.tif 000009
【図８】
2011251061.tif 000010
【図９】
2011251061.tif 000011
【図１０】
2011251061.tif 000012
【図１１】
2011251061.tif 000013